(57)【特許請求の範囲】
【請求項１】
粘着テープを固形試料表面に接着した後、固形試料を所望の厚さに薄切し、粘着テープに接着固定された組織観察用薄切片を作製する方法において、
粘着テープには少なくとも片面全面に固形試料表面に接着させるための粘着剤を塗布した接着面を有するものを用い、該接着面側に固形試料を配置し、前記粘着テープの粘着剤を塗布していない非接着面側を粘着テープ押し付け装置で押し付けて、前記固形試料に前記粘着テープの接着面を押し付けた状態で、前記固形試料薄切のために前記固形試料の先端部を前記粘着テープの移動方向とは直交する方向から移動するカッタナイフで薄切し、該薄切が終了した後、前記粘着テープ押し付け装置を元の位置に戻すとともに、前記粘着テープを送ることを特徴とする粘着テープを用いた組織観察用薄切片作製方法。
【請求項２】
粘着テープを固形試料表面に接着した後、固形試料を所望の厚さに薄切し、粘着テープに接着固定された組織観察用薄切片を作製する薄切片作製装置において、
粘着テープには少なくとも片面全面に固形試料表面に接着させるための粘着剤を塗布した接着面を有するものを用い、
前記固形試料を所望の薄切片厚さに対応する量だけ移動させる試料送り装置と、
前記固形試料を薄切するカッタナイフと、
前記粘着テープを繰り出す粘着テープ繰り出し装置と、
前記粘着テープを前記固形試料表面に押し付ける粘着テープ押し付け装置と、
前記粘着テープを巻き取る粘着テープ巻き取り装置とを備え、
前記粘着テープの接着面側に固形試料を配置し、前記粘着テープの粘着剤を塗布していない非接着面側を粘着テープ押し付け装置で押し付けて、前記固形試料に前記粘着テープの接着面を押し付けた状態で、前記固形試料薄切のために前記固形試料の先端部を前記粘着テープの移動方向とは直交する方向から移動するカッタナイフで薄切し、該薄切が終了した後、前記粘着テープ押し付け装置を元の位置に戻し、その後、前記粘着テープを送るように構成したことを特徴とする粘着テープを用いた組織観察用薄切片作製装置。
【発明の詳細な説明】
【０００１】
【発明の属する技術分野】
本発明は、理科学試料分析や生体試料の顕微鏡観察などの医療分析において用いられるミクロトーム（固形試料または切断刃を希望切断厚さに対応する量だけ移動させた後、切断刃によって固形試料を切断し薄切片を作製する装置）に係わるもので、特に粘着テープを固形試料表面に接着した後、固形試料を希望する厚さに薄切し、粘着テープに接着固定された組織観察用の薄切片を作製する方法およびそのための装置に関するものである。
【０００２】
【従来の技術】
従来、薄切片の作製（切り出し）作業は、ミクロトームを用い作業者が行っている。固形試料には主として生体試料をパラフィン包埋したものが用いられ、これを切断し薄切片を作製する。この薄切片作製工程において、切断中および切断工程終了後の薄切片のハンドリングが重要かつ困難な作業とされているが、この作業は粘着テープを固形試料表面に接着した後、固形試料を希望する厚さに薄切し、粘着テープに接着固定された組織観察用の薄切片を作製するという方法によって比較的容易に行うことができる。
【０００３】
図９は組織観察用薄切片の作製装置の構成図、図１０は粘着テープが巻き取られている状態を示す斜視図、図１１は組織観察用薄切片が粘着テープとともに巻き取られている状態を示す図である。
【０００４】
これらの図に示すように、従来の組織観察用薄切片の作製装置は、固形試料２を希望する切断厚さに対応する量だけ送る試料送り装置３と、巻き取った状態の粘着テープ４を希望する量だけ繰り出す粘着テープ繰り出し装置５と、最終的に薄切片が接着固定された状態の粘着テープ４を巻き取る粘着テープ巻き取り装置６と、粘着テープ繰り出し装置５と粘着テープ巻き取り装置６の間に粘着テープ４を挟んで固形試料２に対向して位置する、粘着テープ４を固形試料２表面に押し付ける粘着テープ押し付け装置７と、切断を行う薄切用カッタナイフ１で構成される。
【０００５】
以下、従来の粘着テープを使用した組織観察用薄切片の作製方法を図９〜図１１を用いて説明する。
【０００６】
（１）固形試料２をＡ＋の方向へ希望する切断厚さに対応する量だけ送る（試料送り工程：図示していないが、Ａの方向のみに動作可能な案内面とアクチュエータを具備する）。
【０００７】
（２）粘着テープ押し付け装置７の押し付け用ヘッド９（押し付け用ヘッド９はゴム、スポンジ、ウレタン等、弾性変形に富む材料が良い）を、Ｂ＋の方向へ移動させ（押し付け工程：図示していないが、Ｂの方向のみに動作可能な案内面とアクチュエータを具備する）、粘着テープ４の接着面１４を固形試料２表面に押し付ける。
【０００８】
（３）薄切用カッタナイフ１をＣ＋の方向に移動させ薄切を行う（切断工程：図示していないが、Ｃの方向のみに動作可能な案内面とアクチュエータを具備する）。
【０００９】
（４）粘着テープ繰り出し装置５により粘着テープ４を一定量繰り出し、図１０に示すように裏紙１２の付いた粘着テープ４を使用する場合は、裏紙巻き取り装置１３により、粘着テープ繰り出しと同時に裏紙１２を巻き取る。同時に粘着テープ巻き取り装置６により粘着テープ４を巻き取り、粘着テープ４が弛まないようにする。
【００１０】
粘着テープ４を巻き取る際、粘着テープ４に接着固定された薄切片を保護するため、また薄切片の接着していない接着面１４がテープ背面に接着してしまうことを防止する理由で、カバーフィルム１５を粘着テープ４の薄切片が接着固定された面側にセットして一緒に巻き取り、次の試料送り工程に備える。また、この工程と同時に、薄切用カッタナイフ１はＣ−の方向に移動し、切断工程開始位置に戻る。なお、図９において、１７は薄切開始位置、１８は薄切終了位置である。
【００１１】
以上の（１）〜（４）の工程を繰り返し行うことにより、図１１に示すような粘着テープ４に接着固定された組織観察用薄切片１６を作製することができる。
【００１２】
【発明が解決しようとする課題】
しかしながら、上記した従来の粘着テープを使用した組織観察用薄切片の作製方法では、次のような問題点がある。
【００１３】
使用する粘着テープには、少なくとも片面全面に固形試料表面に接着するための接着剤を塗布した接着面を有するものを用いることが一般的である。しかし、このような粘着テープを使用した場合、切断工程の際、固形試料表面に接着していない粘着テープ接着面が、薄切用カッタナイフの粘着テープ側面の刃先近傍に接着してしまい、結果として粘着テープが固形試料表面から剥がれてしまったり、粘着テープが皺になったり、粘着テープが破れて切断されてしまう等の不具合が生じる。このような不具合は、粘着テープ上に接着固定された薄切片の精度に影響を及ぼす。
【００１４】
また、通常のミクロトームを用いた薄切片作製方法とは異なり、粘着テープを使用し連続的に薄切片を作製するため、粘着テープの切断という不具合は大きな問題であり、装置の自動化にも大きな影響を及ぼす。
【００１５】
本発明は、上記問題点を除去し、固形試料の切断工程において固形試料表面に接着していない粘着テープ接着面が、薄切用カッタナイフの粘着テープ側面の刃先近傍に接着することを防止することにより、粘着テープが固形試料表面から剥がれてしまったり、粘着テープが皺になったり、粘着テープが破れて切断されてしまうなどの不具合の発生を防ぎ、粘着テープ上に接着固定された精度の高い組織観察用薄切片を安定的に作製するとともに、組織観察用薄切片の作製装置の自動化を容易にすることができる粘着テープを用いた組織観察用薄切片作製方法およびそのための装置を提供することを目的とする。
【００１６】
【課題を解決するための手段】
本発明は、上記目的を達成するために、
〔１〕粘着テープを固形試料表面に接着した後、固形試料を所望の厚さに薄切し、粘着テープに接着固定された組織観察用薄切片を作製する方法において、粘着テープには少なくとも片面全面に固形試料表面に接着させるための粘着剤を塗布した接着面を有するものを用い、この接着面側に固形試料を配置し、前記粘着テープの粘着剤を塗布していない非接着面側を粘着テープ押し付け装置で押し付けて、前記固形試料に前記粘着テープの接着面を押し付けた状態で、前記固形試料薄切のために前記固形試料の先端部を前記粘着テープの移動方向とは直交する方向から移動するカッタナイフで薄切し、この薄切が終了した後、前記粘着テープ押し付け装置を元の位置に戻すとともに、前記粘着テープを送ることを特徴とする。
【００１７】
〔２〕粘着テープを固形試料表面に接着した後、固形試料を所望の厚さに薄切し、粘着テープに接着固定された組織観察用薄切片を作製する薄切片作製装置において、粘着テープには少なくとも片面全面に固形試料表面に接着させるための粘着剤を塗布した接着面を有するものを用い、前記固形試料を所望の薄切片厚さに対応する量だけ移動させる試料送り装置と、前記固形試料を薄切するカッタナイフと、前記粘着テープを繰り出す粘着テープ繰り出し装置と、前記粘着テープを前記固形試料表面に押し付ける粘着テープ押し付け装置と、前記粘着テープを巻き取る粘着テープ巻き取り装置とを備え、前記粘着テープの接着面側に固形試料を配置し、前記粘着テープの粘着剤を塗布していない非接着面側を粘着テープ押し付け装置で押し付けて、前記固形試料に前記粘着テープの接着面を押し付けた状態で、前記固形試料薄切のために前記固形試料の先端部を前記粘着テープの移動方向とは直交する方向から移動するカッタナイフで薄切し、この薄切が終了した後、前記粘着テープ押し付け装置を元の位置に戻し、その後、前記粘着テープを送ることを特徴とする。
【００１８】
本発明によれば、上記のように構成したので、
（Ａ）粘着テープを使用した組織観察用薄切片の作製工程において、固形試料の切断工程の際、固形試料表面に接着していない粘着テープ接着面が薄切用カッタナイフの粘着テープ側の刃先近傍に接着することを防ぐことにより、従来のように、粘着テープの接着面と固形試料面が剥がれたり、また、粘着テープ及び粘着テープに接着固定された薄切片が皺になったり、更には、粘着テープが破れるといった問題をなくすことができる。
【００１９】
（Ｂ）上記した粘着テープの接着面と固形試料面が剥がれ、また、粘着テープ及び粘着テープに接着固定された薄切片が皺になるのを防止することにより、粘着テープ上に接着固定された精度の高い組織観察用薄切片を安定的に作製することができる。
【００２０】
（Ｃ）本発明の薄切片作製装置は、通常のミクロトームを用いた薄切片作製装置とは異なり、粘着テープを使用し連続的に薄切片を作製することができ、確実に自動化を図ることができる。
【００２１】
【発明の実施の形態】
以下、本発明の実施の形態について図面を参照して説明する。
【００２２】
図１は第１参考例を示す組織観察用薄切片の作製装置の構成図、図２は第１参考例を示す粘着テープを用いた組織観察用薄切片作製装置の要部斜視図である。
【００２３】
図１に示す組織観察用薄切片の作製装置において、希望する厚さに対応する送りを行う送り工程のための移動軸および薄切を行う切断工程のための移動軸を固形試料２側に取り付けるか、または、カッタナイフ１側に取り付けるかという相違点はあるが、送り工程および切断工程時のカッタナイフ１と固形試料２の相対的な動きはどちらを移動させても同じなので、ここでは、送り工程では固形試料２（以下試料送り工程）を、切断工程ではカッタナイフ１を移動させることにしている。
【００２４】
ここで、使用する粘着テープ４は、図１０に示すように、少なくとも片面全面に固形試料表面に接着するための接着剤を塗布した接着面１４を有し、片面（粘着面側）に剥離性良好な加工を施した裏紙１２を有しているものを用いる。
【００２５】
このような粘着テープ４を使用した場合、従来技術において説明したように、固形試料２の切断工程において、固形試料２表面に接着していない粘着テープ接着面１４が、薄切用カッタナイフ１（このカッタナイフ１は、カッタブレード１９、カッタブレードホルダ２０、カッタブレード押さえ２１から成る）の粘着テープ４の側に位置するカッタブレード押さえ２１の先端近傍２２に接着されてしまう。
【００２６】
第１参考例（図１参照）の組織観察用薄切片の作製装置の構成部材は、図９に示す従来の組織観察用薄切片の作製装置の構成と同様であるので、同じ部分には同じ符号を付してその説明は省略する。この第１参考例は固形試料薄切のためにカッタナイフ１（カッタブレード１９、カッタブレードホルダ２０、カッタブレード押さえ２１から成る：図２参照）が移動を開始する開始位置１７側に粘着テープ巻き取り装置６を、カッタナイフ１が薄切を終了した後、再び開始点に戻るために移動方向を１８０°変更する終了位置１８側に粘着テープ繰り出し装置５を配備する点に特徴を有する。
【００２７】
このように、粘着テープ４を固形試料表面に接着した後、固形試料２を所望の厚さに薄切し、粘着テープ４に接着固定された組織観察用薄切片を作製する際に、粘着テープ４には少なくとも片面全面に固形試料表面に接着させるための粘着剤を塗布した接着面を有するものを用い、固形試料２の薄切のためにカッタナイフ１が移動する方向に対して反対方向に前記粘着テープ４を送るようにしたので、固形試料２の切断工程の際、固形試料表面に接着していない粘着テープ接着面が薄切用カッタナイフ１の粘着テープ側の先端近傍２２に接着することを防ぐことができる。したがって、従来のように、粘着テープの接着面と固形試料面が剥がれたり、また、粘着テープ及び粘着テープに接着固定された薄切片が皺になったり、更には、粘着テープが破れるといった問題をなくすことができる。
【００２８】
次に、本発明の実施例について説明する。
【００２９】
図３は第１実施例を示す組織観察用薄切片の作製装置の構成図である。
【００３０】
この実施例は第１参考例（図１）の粘着テープ繰り出し装置５と粘着テープ巻き取り装置６を、固形試料２中心と粘着テープ押し付け用ヘッド９中心を結ぶ直線を回転中心軸として時計回りに９０°回転させたものである。なお、図４は本発明の第１実施例を示す粘着テープを用いた組織観察用薄切片作製装置の要部斜視図である。
【００３１】
図５は第２実施例を示す組織観察用薄切片の作製装置の構成図である。
【００３２】
この実施例は第１実施例（図３）と同様に第１参考例（図１）の粘着テープ繰り出し装置５と粘着テープ巻き取り装置６を、固形試料２中心と粘着テープ押し付け用ヘッド９中心を結ぶ直線を回転中心軸として反時計回りに９０°回転させたものである。なお、図６は本発明の第２実施例を示す粘着テープを用いた組織観察用薄切片作製装置の要部斜視図である。
【００３３】
これらの実施例の組織観察用薄切片の作製装置の構成も、従来例と同一であるので、同じ符号を付してその説明は省略する。
【００３４】
まず、図３に示す第１実施例において、粘着テープ４は切断工程時にカッタナイフ１が移動するＣ方向に垂直なＤ−方向（図４参照）の方向へ送られ、図５に示す第２実施例においては、粘着テープ４はＣ方向に垂直なＤ＋の方向へ送られる。
【００３５】
第１、第２実施例の場合、カッタナイフ１は固形試料薄切の際、紙面に対し奥側から手前側へ移動する。また、カッタナイフの薄切能力（切れ味）を向上させるために図８に示すように引き角θを設定することが一般的である。
【００３６】
次に、第１〜第２実施例の組織観察用薄切片作製装置を用いて粘着テープに接着固定された組織観察用薄切片の作製方法を説明する。
【００３７】
まず、固形試料２をＡ＋方向へ希望する切断厚さに対応する量だけ送る（試料送り工程：図示していないがＡの方向のみに動作可能な案内面とアクチュエータを具備する）。
【００３８】
次に、粘着テープ押し付け装置７の押し付け用ヘッド９（押し付け用ヘッド９はゴム、スポンジ、ウレタン等、弾性変形に富む材質が良い）を、Ｂ＋の方向へ移動させ（押し付け工程：図示していないがＢの方向のみに動作可能な案内面とアクチュエータを具備する）、粘着テープ４の接着面１４を固形試料表面に押し付ける。
【００３９】
次に、カッタナイフ１をＣ＋方向に移動させ薄切を行う（切断工程：図示していないがＣの方向のみに動作可能な案内面とアクチュエータを具備する）。ここで、第１〜第２実施例のこの切断工程について説明する。
【００４０】
本発明の実施例では、粘着テープ４は、少なくとも片面全面に固形試料表面に接着するための粘着剤を塗布した接着面１４を有するものを用いる。
【００４１】
まず、第１参考例の場合、粘着テープ押し付け装置７の押し付け用ヘッド９により粘着テープ４の接着面１４を固形試料表面に押し付けた後、固形試料の薄切を行うため、切断工程の際の粘着テープ４は、図２に示すように固形試料２を通過前（固形試料のＣ＋の方向）の粘着テープ接着面１４には、固形試料２の薄切片１６が接着しておらず、粘着テープ接着面１４が露出しているが、固形試料２を通過後（固形試料のＣ−の方向）の粘着テープ接着面１４には固形試料２の薄切片１６が接着固定されており、粘着テープ接着面１４の露出箇所は低減している状態となる。
【００４２】
このような粘着テープ状態で薄切を行う場合、カッタナイフ１が固形試料２の薄切を開始する際のカッタナイフ１の粘着テープ側の先端近傍２２の粘着テープ接着面１４には、接着固定された固形試料２の薄切片１６が位置する。前記薄切片１６が接着固定された粘着テープ接着面１４は接着力が無くなっている（もしくは非常に小さい接着力になっている）ため、前記した固形試料表面に接着していない粘着テープ接着面１４が薄切用カッタナイフ１の粘着テープ側の先端近傍２２に接着することを防止できるような配置となっている。
【００４３】
粘着テープ４は切断工程の間中、常に粘着テープ巻き取り装置６により、テープが弛まないように一定の力でＣ−の方向に引っ張られている（接着面が固形試料表面に接着している間、テープに動きはない）ため、カッタナイフ１が固形試料表面の薄切を終了すると同時にＣ−の方向に巻き取られる。したがって固形試料２を通過前（固形試料Ｃ＋の方向）の粘着テープ接着面１４には、固形試料２の薄切片１６が接着されてなくとも、粘着テープ接着面１４が薄切用カッタナイフ１の粘着テープ側の先端近傍２２に接着することはない。
【００４４】
また、粘着テープ繰り出し装置５と粘着テープ巻き取り装置６を制御することにより、粘着テープ接着面１４に接着固定された薄切片の間隔２９（図２参照）をほぼ０にすれば、薄切片１６が接着固定されていない、接着力を有する接着面１４が少なくなり、よりいっそう粘着テープ４が薄切用カッタナイフ１の粘着テープ側の先端近傍２２に接着することを防止することができる。
【００４５】
次に、第１実施例および第２実施例の場合には、固形試料薄切のためにカッタナイフ１が移動を開始する開始位置１７と、固形試料表面およびカッタナイフ１が薄切を終了した後、再び開始点に戻るために移動方向を１８０°変更する終了位置１８を結ぶ直線（固形試料薄切のためにカッタナイフが移動する軌道直線）と垂直の方向に、固形試料表面を挟んで粘着テープ繰り出し装置５と粘着テープ巻き取り装置６を配備することを特徴としている。
【００４６】
テープの軌道を第１実施例（図３），第２実施例（図５）のように設定すると、図４，図６に示すように、粘着テープ４の接着面１４がカッタナイフ１の先端近傍に接着してしまう不具合発生箇所は、２４，２５である。しかし、カッタナイフの引き角を考慮すると、この不具合発生箇所２４よりも箇所２５において粘着テープ４の接着面１４がカッタナイフ１の先端近傍２２に接着してしまうことが多い。
【００４７】
したがって、図１に示す第１参考例についての説明と同様に、箇所２５の粘着テープ接着面１４に固形試料２の薄切片１６が接着固定されている状態とすることが有効である（固形試料２に対してのＤ−の方向の粘着テープ接着面１４に固形試料２の薄切片１６が接着固定されている状態とする）。このとき、図３，図４に示すように粘着テープ繰り出し装置５と粘着テープ巻き取り装置６を配置することが望ましい。このような構成とすることで、箇所２５においても、粘着テープ４の接着面１４が、カッタナイフ１の先端近傍２２に接着してしまうことを防ぐことができる。
【００４８】
また、図７に示すようにカッタナイフの上端部２７を固形試料表面の上端部２８と一致させた場合は、前記不具合発生箇所２４（図４，図６）はなくなるため、やはり、箇所２５の粘着テープ接着面１４に固形試料２の薄切片１６が接着固定されている状態とすることが有効である（固形試料に対してのＤ−の方向の粘着テープ接着面に固形試料の薄切片が接着固定されている状態である）。このとき、図３、図４に示すように粘着テープ繰り出し装置と粘着テープ巻き取り装置を配置することが望ましい。このような構成とすることで、箇所２５においても、粘着テープ４の接着面１４が、カッタナイフ１の先端近傍２２に接着してしまうことを防ぐことができる。
【００４９】
前述のような理由から、第１参考例（図１）もしくは第１実施例（図３）の方式とすることが望ましいが、第２実施例（図５）に示す方式でも、図９に示す従来の方式に比べると前記したように、固形試料表面に接着していない粘着テープ接着面１４が薄切用カッタナイフ１の粘着テープ側の先端近傍２２に接着することを防止する効果は大きい。
【００５０】
このような方法で、固形試料を薄切した後、粘着テープ繰り出し装置５により粘着テープ４を一定量繰り出し、図１０に示すような裏紙１２の付いた粘着テープ４を使用する場合は、図１、図３、図５に示すような裏紙巻き取り装置１３により、粘着テープ繰り出しと同時に裏紙１２を巻き取る。同時に前述したように粘着テープ巻き取り装置６により粘着テープ４を巻き取りテープが弛まないようにする。
【００５１】
粘着テープ４を巻き取る際、粘着テープ４に接着固定された薄切片１６を保護するため、また、薄切片１６の接着していない接着面１４がある場合、薄切片１６の接着していない接着面１４がテープ背面に接着してしまうことを防止する理由でカバーフィルム１５を図１、図３、図５に示すように、粘着テープ４の薄切片１６が接着固定された面側にセットし一緒に巻き取り、次の試料送り工程に備える。また、この工程と同時に薄切用カッタナイフ１はＣ−の方向に移動し、切断工程開始位置１７に戻る。
【００５２】
以上の工程を繰り返し行うことにより、図１１に示すような粘着テープ４に接着固定された組織観察用の薄切片１６が作製できる。
【００５３】
なお、本発明は上記実施例に限定されるものではなく、本発明の趣旨に基づいて種々の変形が可能であり、これらを本発明の範囲から排除するものではない。
【００５４】
【発明の効果】
以上、詳細に説明したように、本発明によれば、次のような効果を奏することができる。
【００５５】
（Ａ）粘着テープを使用した組織観察用薄切片の作製工程において、固形試料の切断工程の際、固形試料表面に接着していない粘着テープ接着面が薄切用カッタナイフの粘着テープ側の刃先近傍に接着することを防ぐことにより、従来のように、粘着テープの接着面と固形試料面が剥がれたり、また、粘着テープ及び粘着テープに接着固定された薄切片が皺になったり、更には、粘着テープが破れるといった問題を解決することができる。
【００５６】
（Ｂ）上記した粘着テープの接着面と固形試料面が剥がれ、また、粘着テープ及び粘着テープに接着固定された薄切片が皺になるのを防止することにより、粘着テープ上に接着固定された精度の高い組織観察用薄切片を安定的に作製することができる。
【００５７】
（Ｃ）本発明の薄切片作製装置は、通常のミクロトームを用いた薄切片作製装置とは異なり、粘着テープを使用し連続的に薄切片を作製することができ、確実に自動化を図ることができる。
【図面の簡単な説明】
【図１】  第１参考例を示す組織観察用薄切片の作製装置の構成図である。
【図２】  第１参考例を示す粘着テープを用いた組織観察用薄切片作製装置の要部斜視図である。
【図３】本発明の第１実施例を示す組織観察用薄切片の作製装置の構成図である。
【図４】本発明の第１実施例を示す粘着テープを用いた組織観察用薄切片作製装置の要部斜視図である。
【図５】本発明の第２実施例を示す組織観察用薄切片の作製装置の構成図である。
【図６】本発明の第２実施例を示す粘着テープを用いた組織観察用薄切片作製装置の要部斜視図である。
【図７】図８においてカッタナイフの上端を固形試料の上端と一致させた例を示す斜視図である。
【図８】本発明の第１及び第２実施例の粘着テープを用いた組織観察用薄切片作製装置の要部斜視図である。
【図９】組織観察用薄切片の作製装置の構成図である。
【図１０】粘着テープが巻き取られている状態を示す斜視図である。
【図１１】組織観察用薄切片が粘着テープとともに巻き取られている状態を示す図である。
【符号の説明】
１    カッタナイフ
２    固形試料
３    試料送り装置
４    粘着テープ
５    粘着テープ繰り出し装置
６    粘着テープ巻き取り装置
７    粘着テープ押し付け装置
９    押し付け用ヘッド
１２    裏紙
１３    裏紙巻き取り装置
１４    粘着テープ接着面
１５    カバーフィルム
１６    粘着テープに接着固定された組織観察用の薄切片
１７    薄切開始位置（切断工程開始位置）
１８    薄切終了位置（切断工程終了位置）
１９    カッタブレード
２０    カッタブレードホルダ
２１    カッタブレード押さえ
２２    カッタナイフ先端近傍
２４，２５    不具合発生箇所
２７    カッタナイフ上端部
２８    固形試料表面の上端部
２９    粘着テープ接着面に接着固定された薄切片の間隔
Ａ    試料移動方向
Ｂ    押し付け用ヘッド移動方向
Ｃ    カッタナイフ移動方向
Ｄ    粘着テープ移動方向
θ    引き角
【図１】
0003634917.tif 000002
【図２】
0003634917.tif 000003
【図３】
0003634917.tif 000004
【図４】
0003634917.tif 000005
【図５】
0003634917.tif 000006
【図６】
0003634917.tif 000007
【図７】
0003634917.tif 000008
【図８】
0003634917.tif 000009
【図９】
0003634917.tif 000010
【図１０】
0003634917.tif 000011
【図１１】
0003634917.tif 000012